(57)【要約】【課題】汎用近交系マウスＣ５７ＢＬ／６由来の生殖系列細胞分化能を有するＥＳ細胞株、該細胞株を用いたキメラマウス、その樹立及び作製方法を提供すること。【解決手段】近交系マウスＣ５７ＢＬ／６の雌のマウスから、受精後胚盤胞形成前の胚を採取し、イン　ビトロ、ＥＳ細胞用培地中で培養し、該培養胚のうち胚盤胞まで発生が進んだ胚を分離し、該胚をフィーダー細胞培地中に播種して培養し、該培養胚からＥＳ様形態で生育しているものの細胞塊を採取し、該細胞塊をトリプシンを含有するＥＳ細胞用培地を用いて分散処理し、該細胞をフィーダー細胞培地及びＥＳ細胞用培地を用いて継代培養して、生殖系列細胞分化能を有する汎用近交系マウスＣ５７ＢＬ／６由来のＥＳ細胞株を樹立する。該ＥＳ細胞を用いてキメラマウスを作製することにより、生殖系列遺伝をする近交系マウスＣ５７ＢＬ／６のキメラマウスを得ることができる。【特許請求の範囲】
【請求項１】
（ａ）近交系マウスＣ５７ＢＬ／６の雌雄を交配する工程、（ｂ）該雌のマウスから受精後胚盤胞形成前の胚を採取し、イン　ビトロ、ＥＳ細胞用培地中で培養する工程、（ｃ）該培養胚のうち胚盤胞まで発生が進んだ胚を分離し、フィーダー細胞培地中に播種して培養する工程、（ｄ）該培養胚からＥＳ様形態で生育しているものの細胞塊を採取し、該細胞塊をトリプシンを含有するＥＳ細胞用培地を用いて分散した後、フィーダー細胞培地中に播種して培養する工程、（ｅ）該（ｄ）の工程を繰り返した後、周りに分化した細胞が認められないコロニーを選択する工程、及び（ｆ）該コロニーをＥＳ細胞用培地を用いて継代培養し増殖した後、保存する工程、からなることを特徴とする近交系マウスＣ５７ＢＬ／６由来生殖系列細胞分化能を有するＥＳ細胞株の樹立方法。
【請求項２】
（ｂ）工程における胚の発生段階及び採取時期を管理された条件で正確に行うために、（ａ）工程において、近交系マウスＣ５７ＢＬ／６の雌雄を交配するに際して、雌のマウスに性腺刺激ホルモンを投与して交配することを特徴とする請求項１記載の近交系マウスＣ５７ＢＬ／６由来生殖系列細胞分化能を有するＥＳ細胞株の樹立方法。
【請求項３】
（ｂ）工程における雌のマウスからの受精後の胚の採取を、２．５日胚の時期において行い、イン　ビトロで培養することを特徴とする請求項１又は２記載の近交系マウスＣ５７ＢＬ／６由来生殖系列細胞分化能を有するＥＳ細胞株の樹立方法。
【請求項４】
（ｂ）工程〜（ｆ）工程において用いるＥＳ細胞用培地として、ＫＯ−ＥＳ培地を用いることを特徴とする請求項１〜３のいずれか記載の近交系マウスＣ５７ＢＬ／６由来生殖系列細胞分化能を有するＥＳ細胞株の樹立方法。
【請求項５】
（ｆ）工程において、コロニーをＥＳ細胞用培地を用いて継代培養し増殖した後、凍結保存することを特徴とする、請求項１〜４のいずれか記載の近交系マウスＣ５７ＢＬ／６由来生殖系列細胞分化能を有するＥＳ細胞株の樹立方法。
【請求項６】
近交系マウスＣ５７ＢＬ／６が、近交系マウスＣ５７ＢＬ／６ＮＣｒｊであることを特徴とする請求項１〜５のいずれか記載の近交系マウスＣ５７ＢＬ／６由来生殖系列細胞分化能を有するＥＳ細胞株の樹立方法。
【請求項７】
請求項１〜６のいずれか記載のＥＳ細胞株の樹立方法により樹立された近交系マウスＣ５７ＢＬ／６由来生殖系列細胞分化能を有するＥＳ細胞株。
【請求項８】
近交系マウスＣ５７ＢＬ／６ＮＣｒｊに由来し、生殖系列細胞分化能を有するＥＳ細胞ＲＥＮＫＡ株（受託番号：ＦＥＲＭ　ＢＰ−８２２５）。
【請求項９】
（ｇ）請求項７又は８に記載の近交系マウスＣ５７ＢＬ／６由来生殖系列細胞分化能を有するＥＳ細胞株、或いは該細胞株を遺伝子工学的に形質転換したＥＳ細胞株を、ＥＳ細胞用培地及びフィーダー細胞培地を用いて培養・増殖する工程、（ｈ）予め胚供給用雌雄のマウスを交配して採取した宿主胚を、ＥＳ細胞用培地を用いて培養する工程、（ｉ）（ｇ）工程で調製したＥＳ細胞株を、（ｈ）工程で調製した宿主胚に導入する工程、及び（ｊ）ＥＳ細胞株を導入した宿主胚を偽妊娠させた仮親用雌マウスの子宮に移植する工程、からなることを特徴とするキメラマウスの作製方法。
【請求項１０】
キメラマウスの作製に用いるＥＳ細胞用培地を、ＥＳ細胞株の樹立において用いたＥＳ細胞用培地と同一の培地を用いることを特徴とする請求項９記載のキメラマウスの作製方法。
【請求項１１】
ＥＳ細胞用培地が、ＫＯ−ＥＳ培地であることを特徴とする請求項１０記載のキメラマウスの作製方法。
【請求項１２】
ＥＳ細胞をフィーダー細胞上で培養・増殖する工程を、ＩＣＲ系統マウスの１４日胚より調製したネオマイシン耐性線維芽細胞フィーダー上で、播種する細胞数と継代時期を厳密に制御して分化を抑制した状態で行うことを特徴とする請求項９〜１１のいずれか記載のキメラマウスの作製方法。
【請求項１３】
（ｉ）工程において、ＥＳ細胞株を８細胞期の宿主胚へ注入することを特徴とする請求項９〜１２のいずれか記載のキメラマウスの作製方法。
【請求項１４】
ＥＳ細胞株を導入する宿主胚として、ＩＣＲ系統のマウスの胚を用いることを特徴とする請求項９〜１３のいずれか記載のキメラマウスの作製方法。
【請求項１５】
請求項９〜１４のいずれか記載の方法により作製されたキメラマウス。
【発明の詳細な説明】
【０００１】
【発明の属する技術分野】
本発明は、近交系マウスＣ５７ＢＬ／６由来生殖系列細胞分化能を有するＥＳ細胞株、その樹立方法、及び該細胞株を用いたキメラマウス、その作製方法に関する。
【０００２】
【従来の技術】
ＥＳ細胞は、胚幹細胞（ｅｍｂｒｙｏｎｉｃ　ｓｔｅｍ　ｃｅｌｌ：ＥＳ　ｃｅｌｌ）と呼ばれ、胚盤胞の内部細胞塊より樹立される未分化な株化細胞をいう。ＥＳ細胞を初期胚に注入し、キメラマウスを作製すると、生殖細胞を含むすべての細胞に分化することができる。生殖系列のキメラマウスを交配すると、ＥＳ細胞由来の子孫を作り出すことができるため遺伝子ターゲッティングなどにより予め特定の遺伝子を操作しておけば、任意のノックアウトマウスやトランスジェニックマウスを作製することができる。
【０００３】
ＥＳ細胞を用いた遺伝子ノックアウト法等は、生命現象を分子レベルで解析するのに優れた方法である。とりわけ脳の機能は個体レベルで解析することが必須であり、遺伝子ノックアウト法は無くてはならない技術になってきている。しかし、現在ほとんどのノックアウトマウス作製に用いられているＥＳ細胞は１２９系統由来であるが、このマウス系統は脳梁の形成不全があり、脳高次機能を解析する上で必須の行動解析に向かない。そこで、これまで作製されたノックアウトマウスは、行動解析に実績がある近交系マウスＣ５７ＢＬ／６系統に戻し交配され、行動学的な解析がなされてきた。ところが変異を指標に選択をする限り、変異導入領域を中心にした遺伝子領域を戻し交配で完全に入れ換えることは不可能であり、遺伝子背景の問題を克服するには、純系のマウス由来ＥＳ細胞を用いるしか方法がない。
【０００４】
これまでに、近交系Ｃ５７ＢＬマウス由来の細胞株で生殖系列細胞への分化能を維持している細胞株としては、いくつかの報告がされている。例えば、Ｃ５７ＢＬマウス由来の細胞株として、雄の細胞株（ＢＬ−１１１）（Ｅｘｐｅｒｉｍｅｎｔａｌ　Ｃｅｌｌ　Ｒｅｓｅａｒｃｈ　１９７，　２５４−２５８，　１９９１）が報告されている。また、その他の近交系マウスであるＤＢＡに由来する細胞株として、これも雄の細胞株が報告されている（Ｅｘｐｅｒｉｍｅｎｔａｌ　Ｃｅｌｌ　Ｒｅｓｅａｒｃｈ　２２１，　５２０−５２５，　１９９５）。更に、近年、汎用近交系Ｃ５７ＢＬ／６Ｎ系マウス由来の生殖系列細胞への分化能を有する細胞株として、該マウスの透明帯からイン　ビトロで孵化させた胚盤胞から採取した汎用近交系Ｃ５７ＢＬ／６Ｎ系マウス由来の雌のＥＳ細胞が開示されている（特開２００１−６１４７０号公報）。
【０００５】
しかしながら、これまでにＣ５７ＢＬ／６系統等から樹立されたＥＳ細胞株として、いくつかの報告はされてきたが、生殖系列キメラが得られる効率に問題がある等が指摘されている。実際、これまで発表されたＣ５７ＢＬ／６由来ＥＳ細胞のうち、本発明者が入手できた細胞を調べたが、いずれも生殖系列キメラは得られなかった。しかし、Ｃｏｌｉｎ　Ｌ．　Ｓｔｅｗａｒｔらが分与した、ＥＳ細胞Ｂｒｕｃｅ株から細胞形態とカリオタイプを指標に樹立し直した亜株からは生殖系列キメラが得られた。そこで、現在行動解析などに日常的に用いられているＣ５７ＢＬ／６ＮＣｒｊのようなＣ５７ＢＬ／６由来の生殖系列細胞への分化能を有するＥＳ細胞株の樹立が必要とされた。
【０００６】
【特許文献１】
特開２００１−６１４７０号公報
【非特許文献１】
Ｅｘｐｅｒｉｍｅｎｔａｌ　Ｃｅｌｌ　Ｒｅｓｅａｒｃｈ　１９７，　２５４−２５８，　１９９１
【非特許文献２】
Ｅｘｐｅｒｉｍｅｎｔａｌ　Ｃｅｌｌ　Ｒｅｓｅａｒｃｈ　２２１，　５２０−５２５，　１９９５
【０００７】
【発明が解決しようとする課題】
本発明の課題は、汎用近交系マウスＣ５７ＢＬ／６由来の生殖系列細胞分化能を有するＥＳ細胞株、その樹立方法、及び該細胞株を用いたキメラマウス、その作製方法を提供することにある。
【０００８】
【課題を解決するための手段】
本発明者は、汎用近交系マウスＣ５７ＢＬ／６由来の生殖系列細胞分化能を有するＥＳ細胞株の樹立を行うべく、鋭意研究の結果、近交系マウスＣ５７ＢＬ／６の雌雄を交配して、該雌のマウスから、例えば２．５日胚のような受精後胚盤胞形成前の胚を採取し、イン　ビトロ、ＥＳ細胞用培地中で培養し、該培養胚のうち胚盤胞まで発生が進んだ胚を分離し、そして該胚を、フィーダー細胞培地中に播種して培養し、該培養胚からＥＳ様形態で生育しているものの細胞塊を採取し、該細胞塊をトリプシンを含有するＥＳ細胞用培地を用いて分散処理、及び、フィーダー細胞培地を用いて培養し、更にはＥＳ細胞用培地を用いて継代培養し増殖するＥＳ細胞株樹立のための培養・処理を行うことにより、生殖系列細胞分化能を有する汎用近交系マウスＣ５７ＢＬ／６由来、ＥＳ細胞株を樹立することができることを見い出し、本発明を完成するに至った。
【０００９】
本発明で樹立したＥＳ細胞株の具体例として、近交系マウスＣ５７ＢＬ／６ＮＣｒｊに由来し、生殖系列細胞分化能を有するＥＳ細胞ＲＥＮＫＡ株（受託番号：ＦＥＲＭ　ＢＰ−８２２５）が挙げられる。
本発明で樹立したＥＳ細胞株は、宿主胚へ導入し、仮親用雌マウスの子宮に移植することにより、宿主胚由来の細胞とで構成されるキメラ個体を得ることができる。本発明のＥＳ細胞は、キメラ個体内で生殖系列にも分化するので、ＥＳ細胞由来の配偶子を産生することができ、したがって、近交系マウスＣ５７ＢＬ／６の適当なマウスと交配することにより、ＥＳ細胞に導入された、或いはノックアウトされた遺伝子を保持する近交系マウスＣ５７ＢＬ／６マウスを作製することができる。
【００１０】
すなわち本発明は、（ａ）近交系マウスＣ５７ＢＬ／６の雌雄を交配する工程、（ｂ）該雌のマウスから受精後胚盤胞形成前の胚を採取し、イン　ビトロ、ＥＳ細胞用培地中で培養する工程、（ｃ）該培養胚のうち胚盤胞まで発生が進んだ胚を分離し、フィーダー細胞培地中に播種して培養する工程、（ｄ）該培養胚からＥＳ様形態で生育しているものの細胞塊を採取し、該細胞塊をトリプシンを含有するＥＳ細胞用培地を用いて分散した後、フィーダー細胞培地中に播種して培養する工程、（ｅ）該（ｄ）の工程を繰り返した後、周りに分化した細胞が認められないコロニーを選択する工程、及び（ｆ）該コロニーをＥＳ細胞用培地を用いて継代培養し増殖した後、保存する工程、からなることを特徴とする近交系マウスＣ５７ＢＬ／６由来生殖系列細胞分化能を有するＥＳ細胞株の樹立方法（請求項１）や、（ｂ）工程における胚の発生段階及び採取時期を管理された条件で正確に行うために、（ａ）工程において、近交系マウスＣ５７ＢＬ／６の雌雄を交配するに際して、雌のマウスに性腺刺激ホルモンを投与して交配することを特徴とする請求項１記載の近交系マウスＣ５７ＢＬ／６由来生殖系列細胞分化能を有するＥＳ細胞株の樹立方法（請求項２）や、（ｂ）工程における雌のマウスからの受精後の胚の採取を、２．５日胚の時期において行い、イン　ビトロで培養することを特徴とする請求項１又は２記載の近交系マウスＣ５７ＢＬ／６由来生殖系列細胞分化能を有するＥＳ細胞株の樹立方法（請求項３）や、（ｂ）工程〜（ｆ）工程において用いるＥＳ細胞用培地として、ＫＯ−ＥＳ培地を用いることを特徴とする請求項１〜３のいずれか記載の近交系マウスＣ５７ＢＬ／６由来生殖系列細胞分化能を有するＥＳ細胞株の樹立方法（請求項４）や、（ｆ）工程において、コロニーをＥＳ細胞用培地を用いて継代培養し増殖した後、凍結保存することを特徴とする、請求項１〜４のいずれか記載の近交系マウスＣ５７ＢＬ／６由来生殖系列細胞分化能を有するＥＳ細胞株の樹立方法（請求項５）や、近交系マウスＣ５７ＢＬ／６が、近交系マウスＣ５７ＢＬ／６ＮＣｒｊであることを特徴とする請求項１〜５のいずれか記載の近交系マウスＣ５７ＢＬ／６由来生殖系列細胞分化能を有するＥＳ細胞株の樹立方法（請求項６）や、請求項１〜６のいずれか記載のＥＳ細胞株の樹立方法により樹立された近交系マウスＣ５７ＢＬ／６由来生殖系列細胞分化能を有するＥＳ細胞株（請求項７）からなる。
【００１１】
また本発明は、請求項１〜６のいずれか記載のＥＳ細胞株の樹立方法により樹立された近交系マウスＣ５７ＢＬ／６由来生殖系列細胞分化能を有するＥＳ細胞株（請求項７）や、近交系マウスＣ５７ＢＬ／６ＮＣｒｊに由来し、生殖系列細胞分化能を有するＥＳ細胞ＲＥＮＫＡ株（受託番号：ＦＥＲＭ　ＢＰ−８２２５）（請求項８）からなる。
【００１２】
さらに本発明は、（ｇ）請求項７又は８に記載の近交系マウスＣ５７ＢＬ／６由来生殖系列細胞分化能を有するＥＳ細胞株、或いは該細胞株を遺伝子工学的に形質転換したＥＳ細胞株を、ＥＳ細胞用培地及びフィーダー細胞培地を用いて培養・増殖する工程、（ｈ）予め胚供給用雌雄のマウスを交配して採取した宿主胚を、ＥＳ細胞用培地を用いて培養する工程、（ｉ）（ｇ）工程で調製したＥＳ細胞株を、（ｈ）工程で調製した宿主胚に導入する工程、及び（ｊ）ＥＳ細胞株を導入した宿主胚を偽妊娠させた仮親用雌マウスの子宮に移植する工程、からなることを特徴とするキメラマウスの作製方法（請求項９）や、キメラマウスの作製に用いるＥＳ細胞用培地を、ＥＳ細胞株の樹立において用いたＥＳ細胞用培地と同一の培地を用いることを特徴とする請求項９記載のキメラマウスの作製方法（請求項１０）や、ＥＳ細胞用培地が、ＫＯ−ＥＳ培地であることを特徴とする請求項１０記載のキメラマウスの作製方法（請求項１１）や、ＥＳ細胞をフィーダー細胞上で培養・増殖する工程を、ＩＣＲ系統マウスの１４日胚より調製したネオマイシン耐性線維芽細胞フィーダー上で、播種する細胞数と継代時期を厳密に制御して分化を抑制した状態で行うことを特徴とする請求項９〜１１のいずれか記載のキメラマウスの作製方法（請求項１２）や、（ｉ）工程において、ＥＳ細胞株を８細胞期の宿主胚へ注入することを特徴とする請求項９〜１２のいずれか記載のキメラマウスの作製方法（請求項１３）や、ＥＳ細胞株を導入する宿主胚として、ＩＣＲ系統のマウスの胚を用いることを特徴とする請求項９〜１３のいずれか記載のキメラマウスの作製方法（請求項１４）や、請求項９〜１４のいずれか記載の方法により作製されたキメラマウス（請求項１５）からなる。
【００１３】
【発明の実施の形態】
本発明は、汎用近交系マウスＣ５７ＢＬ／６由来の生殖系列細胞分化能を有するＥＳ細胞株を樹立し、該細胞株を用いてキメラマウスを作製することからなる。
【００１４】
［ＥＳ細胞株の樹立］
本発明において、汎用近交系マウスＣ５７ＢＬ／６由来の生殖系列細胞分化能を有するＥＳ細胞株を樹立するために、（ａ）近交系マウスＣ５７ＢＬ／６の雌雄を交配する工程、（ｂ）該雌のマウスから受精後胚盤胞形成前の胚を採取し、イン　ビトロ、ＥＳ細胞用培地中で培養する工程、（ｃ）該培養胚のうち胚盤胞まで発生が進んだ胚を分離し、フィーダー細胞培地中に播種して培養する工程、（ｄ）該培養胚からＥＳ様形態で生育しているものの細胞塊を採取し、該細胞塊をトリプシンを含有するＥＳ細胞用培地を用いて分散した後、フィーダー細胞培地中に播種して培養する工程、（ｅ）該（ｄ）の工程を繰り返した後、周りに分化した細胞が認められないコロニーを選択する工程、及び（ｆ）該コロニーをＥＳ細胞用培地を用いて継代培養し増殖した後、保存する工程、に従って、ＥＳ細胞株の樹立を行う。
【００１５】
本発明においては、基本的には、雌のマウスから受精後、胚盤胞形成前の胚を採取し、イン　ビトロ、ＥＳ細胞用培地中で培養し、該培養胚のうち胚盤胞まで発生が進んだ胚を分離して、フィーダー細胞培地中に播種して培養し、該培養胚からＥＳ様形態で生育しているものの細胞塊を採取することにより、近交系マウスＣ５７ＢＬ／６由来の生殖系列細胞分化能を有するＥＳ細胞株の樹立を可能としている。本発明において使用される近交系マウスＣ５７ＢＬ／６系統のマウスとしては、汎用近交系マウスのＣ５７ＢＬ／６ＮＣｒｊが挙げられる。
【００１６】
本発明において、近交系マウスＣ５７ＢＬ／６の雌のマウスからの受精後の胚盤胞形成前の胚の採取を管理された条件で正確に行うために、予め近交系マウスＣ５７ＢＬ／６の雌雄を交配するに際して、雌のマウスに性腺刺激ホルモンを投与して交配することにより、受精の時期を管理して、明確にしておくことが重要である。雌のマウスからの受精後の胚の採取は、例えば２．５日胚のような胚盤胞形成前の胚を採取する。該胚は、ＥＳ細胞用培地中でイン　ビトロで培養し、該培養胚のうち胚盤胞まで発生が進んだ胚を分離する。ＥＳ細胞用培地としては、例えば、ＫＯ−ＥＳ培地（Ｋｎｏｃｋｏｕｔ−ＤＭＥＭ　　１８０ｍｌに次の溶液を添加する：非必須アミノ酸溶液２ｍｌ；β−メルカプトエタノール溶液２ｍｌ、ＬＩＦ溶液０．２ｍｌ；Ｋｎｏｃｋｏｕｔ−ＳＲ　　４０ｍｌ；Ｌ−グルタミン溶液２００ｍＭ　１．８ｍｌ）を挙げることができる。本発明のＥＳ細胞の樹立において用いるＥＳ細胞用培地としては、ＥＳ細胞の樹立のための全工程において、同一のＥＳ細胞用培地を用いることが必要である。
【００１７】
分離した胚は、フィーダー細胞培地中に播種して培養し、該培養胚からＥＳ様形態で生育しているものの細胞塊を採取する。胚の培養に用いるフィーダー細胞としては、ＩＣＲマウス線維芽細胞の初代培養や、ＳＴＯ細胞等公知の樹立細胞を用いることができる。細胞塊は、トリプシン溶液を用いて、分散させ、更に、フィーダー細胞培地上に播種して、未分化コロニーをピックアップし、該コロニーをＥＳ細胞用培地を用いて継代培養し、適当に増殖したところで凍結して保存する。
本発明で樹立された、近交系マウスＣ５７ＢＬ／６ＮＣｒｊに由来し、生殖系列細胞分化能を有するＥＳ細胞ＲＥＮＫＡ株は、独立行政法人産業技術総合研究所　特許生物寄託センターに、受託番号：ＦＥＲＭ　ＢＰ−８２２５として寄託されている。
【００１８】
本発明の近交系マウスＣ５７ＢＬ／６に由来する生殖系列細胞分化能を有するＥＳ細胞株の樹立に際しての要点を以下に例示的に記載する。
（採胚）
ＥＳ細胞株の樹立に用いる近交系マウスＣ５７ＢＬ／６の雌からの受精胚を以下のようにして採取する。受精胚の採取に際しては、受精後の胚盤胞形成前の胚の採取を管理された条件で正確に行うために、近交系マウスＣ５７ＢＬ／６の雌雄を交配するに際して、雌のマウスに性腺刺激ホルモンを投与して交配する。
【００１９】
（１）採胚用マウスの交配
＜要点＞
（ａ）セロトロピン一本（５０ｕｎｉｔｓ／１００μｌ）を０．６％ＮａＣｌ　１．９ｍｌで希釈する。２６Ｇの針を付けた１ｍｌシリンジで液を吸い取り、２００μｌ／匹（５ｕｎｉｔｓ／マウス）を４週齢雌Ｃ５７ＢＬ／６ＮＣｒｊマウスの腹腔に注射する。（１日目　１７：００）
（ｂ）４８時間後、ゴナトロピン一本（５０ｕｎｉｔｓ／１００μｌ）を０．６％ＮａＣｌ　１．９ｍｌで希釈する。２６Ｇの針を付けた１ｍｌシリンジで液を吸い取り、２００μｌ／匹（５ｕｎｉｔｓ／マウス）２００μｌ／匹（５ｕｎｉｔｓ／マウス）でセロトロピン投与雌Ｃ５７ＢＬ／６ＮＣｒｊマウスの腹腔に注射する。
（ｃ）注射後、すぐに８〜９週齢雄Ｃ５７ＢＬ／６ＮＣｒｊマウスと交配させる（雄：雌＝１：１）。（３日目　１７：００）
（ｄ）翌朝交尾プラグ（Ｐｌｕｇ）を確認し、雄から離す（１０時位までに確認する）。（４日目　９：００）
【００２０】
（２）採胚用マウスからの採胚
受精した採胚用雌マウスから、２．５日胚のような胚盤胞形成前の胚を採取する。（６日目　朝）
＜要点＞
（ａ）採卵前日、予めＫＯ−ＥＳ培地とミネラルオイルで覆ったＫＯ−ＥＳ培地滴（ｄｒｏｐ）を３．５ｃｍディシュに作って、３７℃　ＣＯ２インキュベーター内に用意する。
（ｂ）交尾プラグを確認した雌Ｃ５７ＢＬ／６ＮＣｒｊマウスを頸椎脱臼する。
（ｃ）上皮を７０％ＥｔＯＨで消毒する。筋膜を切らないように腹部の毛皮をピンセットで持ち上げ、はさみで切れ目を入れ、残りは手で上皮を剥く。
（ｄ）筋膜を眼科用はさみで切り開く。
（ｅ）腸をよけると、卵巣・輸卵管・子宮が左右に対になっているのが確認できる。
【００２１】
（ｆ）卵巣・輸卵管・子宮のうち輸卵管と子宮のみを眼科用はさみで切り出す。その際不要な筋膜は取り除く。また子宮の長さは輸卵管接合部から３〜５ｍｍ程度あればよい。
（ｇ）Ｍ２培地に輸卵管及び子宮を移し、余計な血液や組織を洗って取り除く。
（ｈ）時計皿に輸卵管及び子宮を移す。１ｍｌシリンジにＭ２培地を満たし灌流針をつける。
（ｉ）輸卵管の卵管采に灌流針を差し込んで、灌流する。約２００μｌで完全に胚を輸卵管及び子宮から出すことができる。
（ｊ）時計皿を軽くまわし、灌流して出てきた胚を皿の中心部に集め、キャピラリーピペットで回収する。
（ｋ）再度Ｍ２培地で胚を洗い、３７℃　ＣＯ２インキュベーター内に保存しておいたＫＯ−ＥＳ培地で洗いＫＯ−ＥＳ培地滴に移す。
（ｌ）３７℃　ＣＯ２インキュベーター内で培養する。
【００２２】
（３）ＥＳ細胞の採取及び細胞株の樹立
胚盤胞内部細胞塊より生育したＥＳ細胞のコロニーをガラスピペットで採取する。この時、各種の細胞コロニーの中からＥＳ細胞を認識する目が最大のポイントとなる。採取する細胞塊は、できる限り単一の組成にするために、コロニー上部のみを慎重に切り出すことが肝要である。採取したＥＳ細胞を、培養・増殖及び分離してＥＳ細胞株を樹立する。
＜要点＞
（ａ）採胚した日に、採胚した個体数と同数の６ｃｍシャーレ（ファルコン３００４）にフィーダー細胞を準備する。（６日目　昼〜夕方）
（ｂ）翌日の朝フィーダー細胞培地をＫＯ−ＥＳ培地でに交換する。（７日目　朝）
（ｃ）翌日の午前中ＫＯ−ＥＳ培地で培養した胚のうち胚盤胞まで発生が進んだ物を選び、フィーダー細胞をまいた６ｃｍシャーレに移す。この時、１匹分の胚を１枚のシャーレに移す。（７日目　午前中）
【００２３】
（ｄ）培養４〜５日目にＥＳ様形態で生育している胚から細胞塊を採取する（１１〜１２日目）。このとき、外径２００ミクロン、内径１００ミクロンのガラスピペット（先端をべべラーで鋭利に研いでおく）でコロニー上部約半分を丁寧に切り取る。
（ｅ）細胞塊は少量の培地と共にあらかじめマイクロタイターに５０マイクロリットル分注した０．２５％トリプシン溶液に入れ、３７℃で３分おき、２０％牛胎児血清を含むＫＯ−ＥＳ培地１５０μｌを添加し、ピペットマンＰ２００のチップで１０回分散させる。
（ｆ）細胞分散液を２４穴フィーダー上に播く。培地は、ＫＯ−ＥＳ培地０．５ｍｌを用いる。
（ｇ）１２時間後に培地を交換する。培地は、ＫＯ−ＥＳ培地０．５ｍｌを用いる（１２〜１３日目）。
【００２４】
（ｈ）４〜５日後、出現したコロニーを０．２５％トリプシン溶液１２０μｌ、３７℃で、３分間処理し、２０％牛胎児血清を含むＫＯ−ＥＳ培地１ｍｌで反応を停めた後分散させ、遠心してトリプシンを除く。（１６〜１８日後）
（ｉ）細胞を５ｍｌのＫＯ−ＥＳ培地で再分散させ、細胞数を数える。１０００個／ｍｌに希釈し、６ｃｍシャーレのフィーダー細胞上に播種する。
（ｊ）６〜７日後、円型で輪郭が鮮明であり、周りに分化した細胞が認められないコロニーを選び、ピックアップする。手法は（ｅ）〜（ｇ）。（２２〜２５日後）
（ｋ）出現したコロニーは、（ｈ）の処理をした後、細胞を５ｍｌのＫＯ−ＥＳ培地で分散させ細胞数を数え、１×１０５／ｍｌの濃度で継代し、適当に増殖したところで凍結する。
【００２５】
（４）樹立したＥＳ細胞株の検定
樹立したＥＳ細胞は、生殖系列キメラマウス作製能で検定を行う。キメラマウスの作製は、「キメラマウスの作製」プロトコル（後述）にしたがい行う。ＩＣＲ系統マウス胚に注入するＥＳ細胞の数を、例えば、３〜５個、６〜８個、９〜１１個の３グループに分け、それぞれ独立に仮親に移植する。このうち雄の１００％キメラが多く出る細胞株とその時の細胞数を決定する。１００％キメラを雌ＩＣＲ系統マウスと交配し、生殖系列遺伝を確認する。
【００２６】
［樹立したＥＳ細胞株を用いたキメラマウスの作製］
本発明で樹立したＥＳ細胞株は、宿主胚へ導入し、仮親用雌マウスの子宮に移植することにより、宿主胚由来の細胞とで構成されるキメラ個体を得ることができる。本発明のＥＳ細胞は、キメラ個体内で生殖系列にも分化するので、ＥＳ細胞由来の配偶子を産生することができる。したがって、近交系マウスＣ５７ＢＬ／６の適当なマウスと交配することにより、ＥＳ細胞に導入された或いはノックアウトされた遺伝子を保持する近交系マウスＣ５７ＢＬ／６マウスを作製することができる。本発明で樹立したＥＳ細胞株を用いてノックアウトマウスやトランスジェニックマウスを作製するには、本発明で樹立したＥＳ細胞を、予め公知の遺伝子操作方法により、例えば、遺伝子ターゲッティングなどにより遺伝子を操作して、その形質を変換することにより行うことができる。
【００２７】
本発明で樹立したＥＳ細胞株及び該細胞株を遺伝子操作により形質転換したＥＳ細胞株を用いて、キメラマウスを作製するには、該ＥＳ細胞株を宿主胚へ導入し、更に該ＥＳ細胞株を導入した宿主胚を仮親用雌マウスの子宮に移植することにより行うことができるが、該ＥＳ細胞株を宿主胚へ導入する方法としては、ＥＳ細胞を宿主の胚盤胞期胚へ注入する方法、８細胞期胚へ注入する方法、或いは透明帯を除去した８細胞期胚と凝集させる方法などの方法を挙げることができる。
本発明において、ＥＳ細胞株を宿主胚へ導入する特に好ましい方法としては、ＥＳ細胞株を８細胞期胚へ注入する方法が挙げられる。
【００２８】
本発明のキメラマウスの作製方法について、具体的例示により説明すると、本発明で樹立したＥＳ細胞からキメラマウスを作製するには、まず、保存されているＥＳ細胞は、ロットごとに増殖速度が異なっており、宿主胚への導入には対数増殖期にあるＥＳ細胞を注入することが必要であるから、予めそのロットの増殖速度を確かめ、培養・増殖して調整する。この培養で重要なことは、ＥＳ細胞を分化させないことであるから、例えば、該ＥＳ細胞をフィーダー細胞上で培養・増殖する工程を、ＩＣＲ系統マウスの１４日胚より調製したネオマイシン耐性線維芽細胞フィーダー上で、播種する細胞数と継代時期を厳密に制御して分化を抑制した状態で行う等の注意を払う必要がある。
【００２９】
次に、対数増殖期にあるＥＳ細胞を、宿主胚に導入するが、該ＥＳ細胞の導入は、例えば、ＩＣＲ系統のマウスの８細胞期胚にＥＳ細胞を注入することにより行う。該ＥＳ細胞の注入により、キメラ胚を作製する。この時、注入するＥＳ細胞数は２〜１２個であるが、細胞の増殖速度に合わせてその数を調節する。注入するＥＳ細胞の数によりキメラ寄与率が変化するので、胚の生存可能な限り多くの細胞を注入する。このことでＥＳ細胞の生殖細胞に分化する効率を上げることができる。なお、胚へのＥＳ細胞の注入操作やキメラ胚の培養の時もＥＳ細胞専用の培地を用い他の培地に曝さないことが、一定の成績を得るために極めて重要である。ＥＳ細胞専用の培地としては、例えば、ＤＭＥＭ　ｈｉｇｈ　ｇｌｕｃｏｓｅを基本にし、１８％のＧＩＢＣＯ　ＫＮＯＣＫＯＵＴ−ＳＲ、０．１ｍＭのＭＥＭ非必須アミノ酸、０．１ｍＭのβ−メルカプトエタノール、２ｍＭのＬ−グルタミン、１０００ｕ／ｍｌのＬＩＦ（ＥＳＧＲＯ）を添加した培地（ＫＯ−ＥＳ培地）が特に好ましい。なお、ＧＩＢＣＯ　ＫＮＯＣＫＯＵＴ−ＳＲのロットの選択は非常に重要で、ＥＳ細胞への毒性が低く、分化傾向が低く、細胞増殖の早いものを選ぶ必要がある。
【００３０】
本発明において、Ｃ５７ＢＬ／６系統由来ＥＳ細胞と宿主胚としてＩＣＲマウス胚を組み合わせた場合には、毛色で容易にキメラ率を判別できる利点がある。上記の方法で作製したキメラマウスのうち、毛色で８０％以上のＥＳ細胞寄与率の個体からは高い効率で生殖系列遺伝がおこる。特に、遺伝子組換えマウスで行動解析を行うような場合は、Ｃ５７ＢＬ／６系統のＥＳ細胞を使うことが求められると考えられ、本細胞の有用性は高い。
本発明の最も大きなポイントは、本発明によって樹立されたしたＣ５７ＢＬ／６Ｎ系統由来ＥＳ細胞株が効率よく生殖系列キメラになることである。これまで報告されてきたＣ５７ＢＬ／６由来ＥＳ細胞は、確認したほとんどのものが生殖系列キメラになり得なかった。その意味で、この樹立された細胞株そのものに価値がある。
【００３１】
更に、本発明の方法により、ＥＳ細胞から生殖系列キメラマウスを効率的に作製することが可能となった。それは、細胞の培養条件とＥＳ細胞の注入を受けた胚の培養条件を至適化することにより、Ｃ５７ＢＬ／６由来ＥＳ細胞株から生殖系列キメラマウスを効率的に作製することが可能となったことによる。以下に、本発明のキメラマウスの作製に際して、重要なポイントとなる事項を列記する。
１）ＥＳ細胞を樹立するときに使用した培地を、胚へ注入するＥＳ細胞の培養と胚の培養の両方に使用する。すなわち、ＥＳ細胞の培養と胚の培養を同じ条件で行うために同一の培地を用いる。胚にＥＳ細胞を注入する顕微鏡下の培地も同一のものを用いる。
２）８細胞期の胚にＥＳ細胞を注入する。注入するＥＳ細胞は、凍結ストックからＫＯ−ＥＳ培地の中でおこし、対数増殖期のものを用いる。培地のｐＨに注意し、培地交換の時期を遅れさせないことと、交換するときの培地の温度を３７℃にしておく。
【００３２】
３）胚にＥＳ細胞を注入するとき培地のｐＨが相当早く変化するので、ミネラルオイルで覆ったまま炭酸ガス培養器で平衡にさせておいたものを頻繁に取り替えるか、培地を頻繁に取り替える。また、胚をＥＳ細胞を注入するためにステージに上げておく時間は１０分以内にする。
４）注入するＥＳ細胞の数は、２〜１２個であるが、最初に数を振りキメラ率の高い個体が取れる細胞数を決める（一般に一定以上の細胞を注入すると発生が途中で停止し、キメラ率が高くなると産仔数が減少する）。注入数は、凍結ストックごとに変わるので各ストックごとに確認する必要がある。
５）注入後の胚は速やかにＫＯ−ＥＳ培地の中に入れ、炭酸ガス培養器に戻す
翌日胚盤胞まで発生が進んだ胚を選択し、偽妊娠させた仮親の子宮に移植する。
これらの操作はいずれもＥＳ細胞の分化を抑制し、レシピエント胚とうまく混ぜ合わせる（キメラ胚にする）ために必要な操作となる。個々の操作は、特別のことがない限り、全てを一貫してやることが重要となる。
【００３３】
本発明のキメラマウスの作製方法は、基本的には、本発明で樹立された近交系マウスＣ５７ＢＬ／６由来生殖系列細胞分化能を有するＥＳ細胞株、或いは該細胞株を遺伝子工学的に形質転換したＥＳ細胞株を、ＥＳ細胞用培地及びフィーダー細胞培地を用いて培養・増殖し、他方、予め胚供給用雌雄のマウスを交配して採取した宿主胚を、ＥＳ細胞用培地を用いて培養し、前記ＥＳ細胞を、予め調製した宿主胚に導入し、該ＥＳ細胞株を導入した宿主胚を偽妊娠させた仮親用雌マウスの子宮に移植することからなる。
本発明において、本発明の近交系マウスＣ５７ＢＬ／６に由来する生殖系列細胞分化能を有するＥＳ細胞株を用いてキメラマウスを作製するに際しての要点を以下に例示的に記載する。
【００３４】
（１）ＥＳ細胞の準備
保存されているＥＳ細胞の増殖速度は、凍結ロットごとに異なっている。胚へのＥＳ細胞の注入には、対数増殖期にある細胞（６０〜８０％コンフルエント）を用いる必要があるために、あらかじめその凍結ロットの増殖速度を確かめておく。
＜要点＞
１）凍結細胞ストックを液体窒素容器から出す。
２）予め４２℃に加温してあるインキュベーターにチューブを入れ、すばやく溶解し、温まらないうちに細胞懸濁液をパスツールピペットで１５ｍｌチューブにあらかじめ入れた５ｍｌのＫＯ−ＥＳ培地に懸濁する。
３）１２００ｒｐｍ、室温で３分間遠心する。
４）上清を除去し、細胞沈殿をタッピングした後、５ｍｌのＫＯ−ＥＳ培地に懸濁する。
【００３５】
５）あらかじめ作製しておいた１本の２５ｃｍ２フィーダーボトルの培地を除去し、細胞懸濁液を播種する。
６）２４時間後にＫＯ−ＥＳ培地で培地交換をおこなう。以後培地のｐＨに注意し早めの培地交換を心がける（培地交換は、培地の色が朱色から黄色に変色する前に行う）。細胞が６０〜８０％コンフルエントになるまで約２日間培養する。その間、１日１回、必要に応じて２回以上培地交換する。（培地交換は、培地の色が朱色から黄色に変色する前に行う）育てすぎてはいけない。
７）インジェクション当日朝、ＥＤＴＡ−ＰＢＳで洗浄し、０．２５％トリプシン溶液を０．５ｍｌ加え、ボトルを傾けて液を全面に行き渡らせる。
８）ＣＯ２インキュベーター内で３分間加温する。
９）側面を手で叩き、細胞を満遍なく剥がす（実際に白いもの（細胞）が剥がれてくることを肉眼で確認する。）。
【００３６】
１０）５ｍｌのＫＯ−ＥＳ培地＋２０％ＦＣＳを加え、細口ピペットで３回ピペッティングし、細胞懸濁液をコニカルチューブに移す。この時フラスコはそのまま取っておく（ＫＯ−ＥＳ培地＋２０％ＦＣＳは、ＫＯ−ＥＳ培地：ＦＣＳ＝４：１とする。この処理で、トリプシンの活性を完全に停止する）。
１１）１２００ｒｐｍ、室温で３分間遠心する。
１２）上清を除去し、細胞沈殿をタッピングした後、５ｍｌのＫＯ−ＥＳ培地に懸濁する。この懸濁液を取ってあったフラスコに播き、ＣＯ２インキュベーター内で３０分間加温する。（フィーダー細胞を除く作業、フィーダー細胞はフラスコ表面にほとんど接着する）
１３）ＣＯ２インキュベーターから静かにフラスコを取り出し、緩やかにフラスコを傾けながら約３ｍｌの細胞懸濁液をコニカルチューブに取り、堅くふたを閉めて氷中にたてておく。
１４）注入２０分前になったら２．５ｃｍディシュに２．０ｍｌの細胞懸濁液を取り氷上に置いておく。
【００３７】
（２）ＥＳ細胞の胚への注入
対数増殖期に達したＥＳ細胞を、宿主胚に注入する。
＜要点＞
１）厚さ１．２ｍｍのスライドガラス中央に１０ｍｍの穴を開け、その部分をスライドガラスで覆ったマウス胚操作用容器を軽くシリコナイズしておく。
２）胚操作容器の中央に、８０〜１００μｌのＫＯ−ＥＳ培地で滴をつくり、それをミネラルオイルで覆う。
３）採取した８細胞胚を１０個滴の中に入れる。
４）ＥＳ細胞をマイクロピペットで氷冷したディシュから、１０００個程度とり、胚の近傍に拡げる。
【００３８】
５）注入針に円形で形の整ったＥＳ細胞を５０〜１００個吸い取る。
６）８細胞胚を保持ピペットで吸い付け、透明帯の中に注入針を挿入する。この時、割球を傷つけないように細心の注意を払う。
７）ＥＳ細胞を２〜１２個胚に注入する。細胞の数は細胞株ごとに異なるので、キメラ率の高い個体が多く出る割合を選ぶ。
８）ＥＳ細胞が漏れないようにゆっくり針を引き抜く。
９）１０個打ち終わったら、直ちに胚を３７℃で、ＣＯ２インキュベーターに保存しておいたＫＯ−ＥＳ培地でリンスし、ＫＯ−ＥＳ培地滴の中に移す。胚の数は１滴あたり１０〜１５個までにする。胚をインキュベーターの中から出しておける時間は最大１０分間である。
【００３９】
【実施例】
以下、実施例により本発明をより具体的に説明するが、本発明の技術的範囲はこれらの例示に限定されるものではない。
［注意点］
キメラマウスの作製に際して、ＥＳ細胞の培養で最も大切なことは、ＥＳ細胞を分化させないことである。そのためには、細胞の増殖状態、形態に常に注意を払うことが大切である。また、培養に用いる試薬、器具類は専用のものを用いる必要がある。
この実施例においては、ＥＳ細胞株は、その樹立時に使用したＥＳ細胞専用の培地を一貫して用い、ＩＣＲマウス１４日胚より調製したネオマイシン耐性線維芽細胞フィーダー上で、播種する細胞数と継代時期を厳密に制御することでＥＳ細胞の分化を抑制した。培地の温度やｐＨにも所定の値を維持するように注意を払った。
【００４０】
［各試薬、溶液類の組成、使用法］
この実施例で使用した試薬等の組成及びその調製法は、以下のとおりである。水は、試薬調製用超純水（Ｍｉｌｌｉ　Ｑ水）、またはそれと同等の純水を用いた。濾過滅菌には孔径０．２２μｍのＰＶＤＦ（ポリフッ化ビニリデン）フィルターを使用し、オートクレーブ滅菌は１２１℃、２０分の条件下で行った。
ＤＭＥＭ培地は、ＧＩＢＣＯ社製　１２１００−０６１：Ｄｕｌｂｅｃｃｏ’ｓ　ｍｏｄｉｆｉｅｄ　ｅａｇｌｅ　ｍｅｄｉｕｍ　（ｈｉｇｈ　ｇｌｕｃｏｓｅ）１３．３７ｇをＤ．Ｗ．　９５０ｍＬに溶解し、ＮａＨＣＯ３　３．７ｇを溶解後、１Ｎ　ＨＣｌにてｐＨ７．３に調整し、最終容積を１Ｌとしたもの、β−メルカプトエタノール溶液は、ＳＩＧＭＡ社製　Ｍ７５２２：β−ｍｅｒｃａｐｔｏｅｔｈａｎｏｌ　７μＬをＤ．Ｗ．　１０ｍＬに混和したもの、ＬＩＦ溶液は、ＣＨＥＭＩＣＯＮ社製　ＥＳＧ１１０７：ＥＳＧＲＯ　１０７　Ｕｎｉｔ（１ｍＬ）をＢＳＡ溶液９ｍＬに混和したもの、ＢＳＡ溶液は、ＳＩＧＭＡ社製　Ａ７９０６：Ａｌｂｕｍｉｎ　Ｂｏｖｉｎｅ　ｆｒａｃｔｉｏｎ　ＶをＰＢＳに最終濃度１％（ｗ／ｖ）となるように溶解したもので、いずれも調製後に濾過滅菌したものを用いた。
【００４１】
フィーダー（ｆｅｅｄｅｒ）培地は、ＤＭＥＭ培地に最終濃度１０％になるようＦＣＳ（ＧＩＢＣＯ社製　１６１４１−０７９（ｌｏｔ．　Ｎｏ．　１００２４６７）Ｆｅｔａｌ　ｂｏｖｉｎｅ　ｓｅｒｕｍ，　ＥＳ　ｃｅｌｌ　ｑｕａｌｉｆｉｅｄ）を混和したものを用いた。
ＰＢＳは、ＮａＣｌ　８．０ｇ、ＫＣｌ　０．２ｇ、Ｎａ２ＨＰＯ４（−１２Ｈ２Ｏ）　２．９ｇ及びＫＨ２ＰＯ４　０．２ｇをＤ．Ｗ．に溶解後、ｐＨ７．３に調整し、最終容量１Ｌとしたもの、ＥＤＴＡ−ＰＢＳは、ＥＤＴＡ−２Ｎａ（−２Ｈ２Ｏ）　２．２ｇ、ＮａＣｌ　８．０ｇ、ＫＣｌ　０．２ｇ、Ｎａ２ＨＰＯ４（−１２Ｈ２Ｏ）　２．９ｇ、及びＫＨ２ＰＯ４　０．２ｇをＤ．Ｗ．に溶解後、１ＮＮａＯＨにてｐＨ７．３に調整し、最終容量を１Ｌとしたもので、いずれも調製後にオートクレーブ滅菌したものを用いた。
【００４２】
０．２５％トリプシン溶液は、ＧＩＢＣＯ社製　１５０９０−０４６：２．５％　Ｔｒｙｐｓｉｎを融解しＥＤＴＡ−ＰＢＳで１０倍希釈したものを、０．１％トリプシン溶液は、この溶液をさらにＥＤＴＡ−ＰＢＳで２．５倍希釈したものを用いた。
０．１％ゼラチン溶液は、ＳＩＧＭＡ社製　Ｇ６１４４：Ｇｅｌａｔｉｎ　ｔｙｐｅ　Ａ　ｆｒｏｍ　Ｐｏｒｃｉｎｅ　ｓｋｉｎ　１ｇをＤ．Ｗ．　１Ｌに添加し、オートクレーブにて溶解・滅菌したものを用いた。
ＫＯ−ＥＳ培地は、Ｋｎｏｃｋｏｕｔ−ＤＭＥＭ（ＧＩＢＣＯ社製　１０８２９−０１８）１８０ｍＬに非必須アミノ酸溶液（ＧＩＢＣＯ社製　１１１４０−０５０：１０ｍＭ　ＭＥＭ　ｎｏｎ−ｅｓｓｅｎｔｉａｌ　ａｍｉｎｏ　ａｃｉｄｓ　ｓｏｌｕｔｉｏｎ）　２ｍＬ、β−ｍｅｒｃａｐｔｏｅｔｈａｎｏｌ溶液　２ｍＬ、ＬＩＦ溶液　０．２ｍＬ、Ｋｎｏｃｋｏｕｔ−ＳＲ（ＧＩＢＣＯ社製　１０８２８−０２８：ロット間にばらつきがあるため、ロットチェックする必要がある。）４０ｍＬ、及びＬ−グルタミン溶液（ＧＩＢＣＯ社製　２５０３０−０８１：２００ｍＭ　Ｌ−ｇｌｕｔａｍｉｎｅ）２００ｍＭ　１．８ｍＬを添加したもの、凍結培地は、各細胞種に適合した培地に最終濃度１０％となるようＤＭＳＯ（ＳＩＧＭＡ社製　Ｄ２６５０：Ｄｉｍｅｔｈｙｌ　Ｓｕｌｆｏｘｉｄｅ，　Ｓｔｅｒｉｌｅ　ｆｉｌｔｅｒｅｄ）を使用直前に調製したもので、いずれも調製後に濾過滅菌したものを用いた。
【００４３】
マイトマイシンＣ溶液は、ＳＩＧＭＡ社製　Ｍ０５３０：Ｍｉｔｏｍｙｃｉｎ　Ｃ，　ｆｒｏｍ　Ｓｔｒｅｐｔｏｍｙｃｅｓ　ｃａｅｓｐｉｔｏｓｕｓを最終濃度１ｍｇ／ｍＬになるようＤ．Ｗ．に溶解したもの、Ｇ４１８溶液は、ＧＩＢＣＯ社製　１１８１１−０９８：Ｇｅｎｅｔｉｃｉｎを最終濃度５０ｍｇ／ｍＬ（力価）となるようＤ．Ｗ．に溶解したもので、いずれも調製後に濾過滅菌したものを用いた。Ｇ４１８選別培地は、ＥＳ培地にＧ４１８溶液を通常最終濃度１７５μｇ／ｍＬとなるよう添加したものを用いた。また、ペニシリン−ストレプトマイシン−ＰＢＳは、使用直前にＧＩＢＣＯ社製　１５０７０−０６３：Ｐｅｎｉｃｉｌｌｉｎ−ＳｔｒｅｐｔｏｍｙｃｉｎをＰＢＳで１００倍希釈したものを用いた。
【００４４】
セロトロピン（日本薬局方注射用血清性性腺刺激ホルモン：帝国臓器製薬（株）製　１０００単位／管）及びゴナトロピン（日本薬局方注射用胎盤性性腺刺激ホルモン：帝国臓器製薬（株）製　１０００単位／管）は、セロトロピン・ゴナトロピン各一本を添付されている０．６％　ＮａＣｌ（オートクレーブ滅菌済）２ｍＬを用いて、アンプル中で溶かし、最終的にそれぞれ５０ｕｎｉｔｓ／２ｍＬとした。アンプル中の溶液を２．５ｍＬのシリンジで２ｍＬエッペンドルフチューブに移し、さらにそれを２０本の２ｍＬエッペンドルフチューブに１００ｍＬずつ分注し、使用時まで−２０℃にて保存した。
【００４５】
［フィーダー細胞ストックの作製］
（マウス初代培養細胞作製）
ネオマイシン耐性遺伝子を持つＧｌｕＲε１ノックアウトマウス（Ｎａｔｕｒｅ　３７３，１５１−１５５，１９９５）のホモ変異雄マウスと、雌のＩＣＲマウスを交配し、翌朝交尾プラグ（膣栓）を確認し、この時点をＥ０．５日（０．５日目胚）とした。Ｅ１３．５〜１５．５日の胎仔を妊娠した雌マウスを頸椎脱臼し、全身を７０％エタノールに浸した後、クリーンベンチ内で子宮から胎仔を取り出し、膜と胎盤を取り除いて新しいディッシュに移した。肝臓や心臓など造血組織や血液を含む赤い組織部分を極力取り除いた胎仔を新しいディッシュに移し、湾曲バサミで細かく切断した組織を少量のＰＢＳ（−）で懸濁した後、組織懸濁液を５０ｍＬコニカルチューブに回収した。この組織懸濁液に、１３．５日胚１０匹、１４．５日胚６匹、１５．５日胚３匹あたり、０．１％トリプシンを含むＰＢＳ−ＥＤＴＡ溶液を２０ｍＬを組織懸濁液に加えた後、ローテーターで室温下で１０〜１５分間緩やかに回転し、口径の大きなピペットで液を数回ピペッティングし、１分間静置した。
【００４６】
この操作を２回繰り返し行った後、沈殿として残った未分離組織や大きな組織塊はとっておき、上清を新しいコニカルチューブに移して細胞数を血球計算板で測定した。得られた細胞液を、４℃、１２００ｒｐｍで３分間遠心し、沈殿の量から収量を予測することにより播種する１０ｃｍディッシュの枚数を決定した（ディッシュ一枚あたり１×１０６ｃｅｌｌｓ程度、１０ｍＬ）。この沈殿をフィーダー培地に懸濁して１０ｃｍディッシュに播種したものを「ロット１」とし、顕微鏡観察により予想した収量の妥当性を確認した。さらに、残しておいた未分離組織・大きな組織塊から上記と同様の方法で「ロット２」を得た。未分離組織成分がなくなるか、又は、ゲノムの漏出により溶液の粘度が上がり細胞の分離ができなくなるまで上記と同様の操作を繰り返し、ロット３以降を得た。翌日顕微鏡で観察し、生存率の確認を行い、著しく生存率の低いロットはこの時点で廃棄した。なお、ディッシュに播種してから１２〜１６時間後にフィーダー培地で培地交換を行い、コンフルエントに達した際に、ディッシュ１枚あたり３、４枚に継代した後、凍結した。
【００４７】
（フィーダー（ボトル、ディッシュ、プレート）の作製）
フィーダー細胞凍結ストックチューブ１本を４２℃の温浴に浸して融解し、４ｍＬのフィーダー培地で懸濁した後、４℃で１２００ｒｐｍ、３分間遠心を行った。上清を除去し、ペレットを１０ｃｍディッシュ１枚あたり１０ｍＬのフィーダー培地に懸濁した後、底面を０．１％ゼラチン溶液で２時間以上覆った１０ｃｍディッシュに直接播種し、細胞がコンフルエントに達するまで培養を行った。細胞がコンフルエントに達した際に、培養上清に１ｍｇ／ｍＬのマイトマイシンＣ溶液を１００μＬ加え、さらに２時間以上培養した後、０．２５％トリプシン処理により細胞を剥離し、フィーダー培地を加え、最終的に細胞密度が約２×１０５ｃｅｌｌｓ／ｍＬになるように細胞懸濁液を調製した。予め底面を０．１％ゼラチン溶液で２時間以上覆った培養容器に、得られた細胞懸濁液を規定量（１０ｃｍディッシュは１０ｍＬ、２５ｃｍ２ボトルは５ｍＬ、３．５ｃｍディッシュは２ｍＬ、２４ウェルマルチウェルの１ウェルは０．５ｍＬを規定量とする）入れた後、ＣＯ２インキュベーター内で６時間以上静置し、細胞が十分生着伸展したことを確認してからＥＳ細胞を播種した。
【００４８】
［ＥＳ細胞の培養と継代］
（ＥＳ細胞の前培養）
ＥＳ細胞凍結ストックチューブ１本（２．５〜５．０×１０５ｃｅｌｌｓ）を４２℃の温浴に浸して融解し、細胞懸濁液をパスツールピペットで１５ｍＬチューブに予め入れた５ｍＬのＫＯ−ＥＳ培地に懸濁した後、４℃で１２００ｒｐｍ、３分間遠心を行った。次に、上清を除去して細胞沈殿をタッピングした後、５ｍＬのＫＯ−ＥＳ培地に懸濁し、上記方法で作製し培地を除去した１本の２５ｃｍ２フィーダーボトルに細胞懸濁液を播種し、細胞がコンフルエントに達するまで約２日間培養した。最後の培地交換から２〜４時間後に培地を除去し、５ｍＬＥＤＴＡ−ＰＢＳで洗浄し、０．２５％トリプシン溶液を０．５ｍＬ加えて細胞を剥離しした後、２０％ＦＣＳを含むＫＯ−ＥＳ培地を４．５ｍＬ加え、細口ピペット（５ｍＬガラスメスピペット）で３回ピペッティングし、細胞懸濁液をコニカルチューブに移し、１２００ｒｐｍ、４℃で３分間遠心を行った。上清を除去し、細胞沈殿をタッピングした後、適当量のＫＯ−ＥＳ培地に懸濁し、最終的に細胞密度が約０．２×１０５ｃｅｌｌｓ／ｍＬになるように、必要量のＫＯ−ＥＳ培地を加えて調整した。得られた細胞懸濁液を、予め上記方法で作製し、培地を除去しておいた２５ｃｍ２のフィーダーボトル１本あたりにつき５ｍＬずつ播種した。
【００４９】
（ＥＳ細胞の凍結ストックの作製）
凍結操作の２時間前に培地交換を行った後、培地を除去し、５ｍＬ　ＥＤＴＡ−ＰＢＳで洗浄し、０．２５％トリプシン溶液を０．５ｍＬ加えることにより、細胞を剥離した。２０％ＦＣＳを含むＫＯ−ＥＳ培地を４．５ｍＬ加えて細胞を懸濁し、細胞密度を計算した後、１２００ｒｐｍ、４℃で３分間遠心した。上清を除去し、細胞密度が５×１０６ｃｅｌｌｓ／ｍＬになるように、必要量の凍結培地を加え、ペレットを懸濁し、細胞凍結用チューブ１本あたり０．５〜１．０ｍＬづつ分注した。予め４℃に冷蔵してあるバイセルにチューブを収納し、−８０℃フリーザーに６時間以上入れ凍結した後、使用時まで液体窒素タンクに移して保存した。
【００５０】
［キメラマウスの作製］
（ＥＳ細胞の準備）
ＥＳ細胞の増殖速度は、凍結ロットごとに異なっている。対数増殖期にある細胞（６０〜８０％コンフルエント）を胚への注入に用いるために、予めその凍結ロットの増殖速度を確かめておく必要がある。
遺伝子組換えを確認し保存してある細胞ストックを、予め４２℃に加温してあるインキュベーターに入れてすばやく溶解し、温まらないうちに細胞懸濁液をパスツールピペットで５ｍＬのＫＯ−ＥＳ培地に懸濁した後、１２００ｒｐｍ、室温で３分間遠心して上清を除去し、細胞沈殿をタッピングした後、さらに５ｍＬのＫＯ−ＥＳ培地に懸濁した細胞懸濁液を、予め作製し培地を除去しておいた２５ｃｍ２フィーダーボトルに播種した。
【００５１】
播種２４時間後にＫＯ−ＥＳ培地で培地交換を行い、培地のｐＨに注意しながら、細胞が６０〜８０％コンフルエントに達するまで約２日間培養した。インジェクション当日、ＥＤＴＡ−ＰＢＳで洗浄し、０．２５％トリプシンを加えて細胞を剥離した後、２０％ＦＣＳを含む５ｍＬのＫＯ−ＥＳ培地を加えてトリプシン活性を停止させ、細胞懸濁液を調製した。１２００ｒｐｍ、室温で３分間遠心して上清を除去し、細胞沈殿をタッピングした後、５ｍＬのＫＯ−ＥＳ培地に懸濁し、この懸濁液を予め取ってあったフラスコに播き、ＣＯ２インキュベーター内で３０分間加温することによりフィーダー細胞を除いた。ＣＯ２インキュベーターから静かにフラスコを取り出し、緩やかにフラスコを傾けながら約３ｍＬの細胞懸濁液をコニカルチューブに取り、堅くふたを閉めて氷中に立て、注入２０分前になったら２．５ｃｍディッシュに２．０ｍＬの細胞懸濁液をとり、氷上に置いた。
【００５２】
（胚への注入）
厚さ１．２ｍｍのスライドガラス中央に１０ｍｍの穴を開け、その部分をスライドガラスで覆ったマウス胚操作用容器を軽くシリコナイズしておき、胚操作容器の中央に、８０〜１００μＬのＫＯ−ＥＳ培地で滴をつくり、それをミネラルオイルで覆った。採取した８細胞胚を１０個滴の中に入れ、ＥＳ細胞を、マイクロピペットで氷冷したディッシュから１０００個程度とり、胚の近傍に拡げた後、注入針に円形で形の整ったＥＳ細胞を５０〜１００個吸い取った。８細胞胚を保持ピペットで吸い付け、割球を傷つけないように細心の注意を払いながら透明帯の中に注入針を挿入した。ＥＳ細胞を２〜１２個胚に注入した。細胞の数は細胞株ごとに異なるため、キメラ率の高い個体が多く出る割合を選び、ＥＳ細胞が漏れないようにゆっくり針を引き抜き、１０個打ち終わったら、直ちに胚を３７℃　ＣＯ２インキュベーターに保存しておいたＫＯ−ＥＳ培地でリンスし、１滴あたり１０〜１５個の胚をＫＯ−ＥＳ培地滴の中に移した。
【００５３】
（採卵準備）
セロトロピン一本（５０ｕｎｉｔｓ／１００μＬ）を０．６％ＮａＣｌ　１．９ｍＬで希釈する。２６Ｇの針を付けた１ｍＬシリンジで液を吸い取り、２００μＬ／匹（５ｕｎｉｔｓ／マウス）を４週齢雌Ｃ５７ＢＬ／６ＮＣｒｊマウスの腹腔に注射した〔１日目１７：００〕。４８時間後、ゴナトロピン一本（５０ｕｎｉｔｓ／１００μＬ）を０．６％ＮａＣｌ　１．９ｍＬで希釈し、２６Ｇの針を付けた１ｍＬシリンジで液を吸い取り、２００μｌ／匹（５ｕｎｉｔｓ／マウス）でセロトロピン投与雌Ｃ５７ＢＬ／６ＮＣｒｊマウスに腹腔内投与した。注射後すぐに、８〜９週齢の雄Ｃ５７ＢＬ／６ＮＣｒｊマウスと雄：雌＝１：１の割合で交配させ〔３日目１７：００〕、翌朝プラグを確認し、雄から離した（１０時位までに確認）〔４日目９：００〕。
【００５４】
（２．５日胚の採卵：６日目朝）
採卵前日に、ＫＯ−ＥＳ培地とミネラルオイルで覆ったＫＯ−ＥＳ培地滴を３．５ｃｍディッシュに作り、３７℃　ＣＯ２インキュベーター内に用意した。プラグを確認した雌のＣ５７ＢＬ／６ＮＣｒｊマウスを頸椎脱臼し、上皮を７０％ＥｔＯＨで消毒した。筋膜を切らないように腹部の毛皮をピンセット（ＩＮＯＸ　Ｎｏ．５）で持ち上げ、はさみで切れ目を入れ、残りは手で上皮を剥ぎ、筋膜を眼科用はさみで切り開いて、輸卵管及び輸卵管接合部から３〜５ｍｍ程度子宮を眼科用はさみで切り出した。Ｍ２培地（ＳＩＧＭＡ社製　Ｍ５９１０）に輸卵管と子宮を移し、余計な血液や組織を洗って取り除き、時計皿に輸卵管と子宮を移した後、１ｍＬシリンジにＭ２培地を満たし灌流針をつけ、輸卵管の卵管采に２７Ｇの灌流針を差し込んで、約２００μＬ位灌流した。時計皿を軽くまわし、灌流して出てきた胚を皿の中心部に集め、キャピラリーピペットで回収した。再度Ｍ２培地で胚を洗い、３７℃　ＣＯ２インキュベーター内に保存しておいたＫＯ−ＥＳ培地で洗いＫＯ−ＥＳ培地滴に移し、３７℃　ＣＯ２インキュベーター内で培養した。
【００５５】
（子宮への胚移植）
精管結紮し、交配してあらかじめ不妊であることを確かめた雄１匹に対し、発情期の雌ＩＣＲマウス１匹を加え交配し、翌日プラグを確認した。胚盤胞胚の移植には２．５日目の擬妊娠マウスを使用し、体重２０ｇあたり０．３ｍＬのネンブタール希釈液（５０ｍｇ／ｍＬ原液を０．６％ＮａＣｌ溶液で１０倍に希釈したもの）を腹腔に注射した後、毛刈りをしてから背中をアルコール綿で消毒し、最も背骨の出っ張った部分より尾側の、背骨がやや窪んだところで正中に１ｃｍ程背中の皮を切除し、ハサミの背で皮膚を筋膜から十分剥離した。筋膜から透けて見える卵巣脂肪辱を目安に、左右一方側について背骨に近い筋膜に０．３〜０．５ｍｍ程度の切り口を体軸に垂直に入れ、切り口よりピンセットを体内に差し込んで脂肪辱をつまみ、子宮に戻した。実体顕微鏡下で、培養してあったキメラ胚を１０個程度胚操作用キャピラリーピペットにとり、この時目印のエアーバブルを入れた。
【００５６】
なお、ＩＣＲマウス８細胞期胚にＥＳ細胞を注入したキメラ胚は、約２４時間ＫＯ−ＥＳ培地滴中で培養し、胚盤胞まで発生が進んだものを子宮内移植に用いた。実体顕微鏡下にマウスを置き、子宮上端より５ｍｍ程度のところに２６Ｇ針を斜めに突き差し貫通させぬように穴をあけ、胚操作用キャピラリーピペットの先端を穴に差し込み、子宮内に先端をスムーズに出し入れできることを確認した後、エアーバブルを目安として胚を注入し、脂肪辱をつかんで子宮を体内に戻した。反対側についても、上記と同様の方法で胚を移植した。筋膜の切り口を１針縫った後、皮膚をオートクリッパーで閉じ、麻酔から醒めるまでパラフィン伸展機で保温し、その後ケージに戻した。
【００５７】
（ＥＳ細胞ＲＥＮＫＡ株の検定）
ＩＣＲマウス胚に注入するＥＳ細胞（ＲＥＮＫＡ株）の数を、３〜５個、６〜８個、９〜１１個の３グループに分けてそれぞれを仮親に移植した。このうち、雄の１００％キメラが多く出る細胞株とその時の細胞数を決定した（表１）。１００％キメラを雌ＩＣＲと交配し、産まれた仔の毛色を判別することにより生殖系列遺伝の確認を行った。なお、キメラ率の判定は、全体の毛色のうち、黒色（ＥＳ細胞ＲＥＮＫＡ株由来）が何％残っているかで判定した。その結果、確認した５匹の１００％キメラマウス全てにおいて、生殖系列遺伝が認められた。
【００５８】
【表１】
2004141073.tif 000002
【００５９】
【発明の効果】
本発明により、近交系マウスＣ５７ＢＬ／６系統由来の生殖系列細胞分化能を有するＥＳ細胞株の樹立が可能になり、このＥＳ細胞株を用いてキメラマウスを作製することにより、従来、生殖系列遺伝をするキメラマウスの作製が困難とされていた近交系マウスＣ５７ＢＬ／６系統の生殖系列キメラマウスの作製が可能となった。本発明における近交系マウスＣ５７ＢＬ／６は、汎用の近交系マウスであり、その生殖系列遺伝をするキメラマウスの作製が可能になったことは、このマウスの遺伝子領域に変異を導入し、該マウスを戻し交配する際に、他系統のマウスの交配を回避でき、したがって、遺伝子領域が交ざることなく、導入した遺伝子領域の純系なマウスの作製が可能になる。このように遺伝子背景が問題にならない近交系マウスの生殖系列遺伝をするキメラマウスが作製できたことにより、ノックアウトマウスやトランスジェニックマウスを作製する際に、変異遺伝子領域の導入が容易になり、また近交系マウスＣ５７ＢＬ／６が、例えば脳の高次機能を解析する上で必要な、行動解析に向いた汎用系統のマウスであることから、これらの生体機能の分子レベルでの解析に大きな貢献が期待できる。